(57)【要約】【課題】外周面のスクリーンがウェッジワイヤーを螺旋状に巻き付けて形成された除塵ドラムであっても、スクリーンのスリットに挟まった塵芥を容易に除去できるようにする。【解決手段】除塵装置は、外周面のスクリーン１４がウェッジワイヤーを螺旋状に巻き付けることにより形成されている除塵ドラム１０と、前記スクリーン１４のスリットに噛み合う螺旋状の歯を有するスクレーパ３０と、前記除塵ドラム１０とスクレーパ３０とを回転させる駆動装置２０とを備える。前記駆動装置２０は、除塵ドラム１０とスクレーパ３０とを同じ回転方向へ同一の回転速度で回転させる。【選択図】  図１
2004314013.tif 000002
【特許請求の範囲】
【請求項１】
塵芥を含む水を導入して除塵した後、除塵後の水を導出する除塵装置において、外周面のスクリーンがウェッジワイヤーを螺旋状に巻き付けて形成されている除塵ドラムと、前記スクリーンのスリットに噛み合う螺旋状の歯を有するスクレーパと、前記除塵ドラムとスクレーパとを回転させる駆動装置とを備え、前記駆動装置は、除塵ドラムとスクレーパとを同じ回転方向へ同一の回転速度で回転させるようにした除塵装置。
【請求項２】
前記スクリーンは、スリットの幅が外周面から中心方向に向けて拡がるように断面形状が三角形のウェッジワイヤーを用いて形成されている請求項１に記載された除塵装置。
【請求項３】
請求項１または２に記載された除塵装置であって、前記スクレーパの歯に挟まった塵芥を掻き取るための第２のスクレーパをさらに備えている除塵装置。
【発明の詳細な説明】
【０００１】
【発明の属する技術分野】
この発明は、下水処理施設などにおいて、下水のスカムや汚泥に含まれる塵芥などを除去するのに用いられる除塵装置に関する。
【０００２】
【従来の技術】
例えば、下水処理場では、下水に含まれる塵芥などの固形物は圧送ポンプに障害を与えたり、貯留槽で浮遊スカムとなって腐敗や悪臭の原因となったりするために、できるだけ細かい塵芥まで除去するのが望ましい。従来、そのような細かい塵芥を除去する目的で、外周面がスクリーンとなっている除塵ドラムが組み込まれた除塵装置が用いられている。
【０００３】
この種の除塵装置は、図６に示すように、箱状のケース体５０に原水を内部に導入するための導入口５１と、濾過後の水を外部へ導出するための導出口５２と、原水より取り除いた塵芥を外部へ排出するための排出口５３とが設けられたものである。前記排出口５３の下方には、排出口５３より排出された塵芥を搬送するための搬送ベルト５４が設置されている。
【０００４】
前記ケース体５０の内部には、前記導入口５１に連通する流入路５５と前記導出口５２に連通する流出路５６とが隔壁５７によって区画形成されている。流入路５５と流出路５６とは除塵ドラム５８を介して連通している。前記除塵ドラム５８は、外周面がスクリーン５９になっており、原水に含まれる塵芥はこのスクリーン５９で捕捉されて原水より取り除かれる。
【０００５】
前記除塵ドラム５８は、モータ６０を駆動源とする回転駆動装置６１によって回転駆動される。流入路５５に流入した原水が除塵ドラム５８のスクリーン５９を通過する際、その原水に含まれる塵芥が捕捉される。スクリーン５９で捕捉された塵芥は、除塵ドラム５８の回転により流入路５５と反対側の位置に設置されたスクレーパ６２へ導かれる。スクレーパ６２は、先端部に櫛歯状の掻取部６３を備えたものであり、この掻取部６３が除塵ドラム５８に付着している塵芥を掻き取る。
【０００６】
前記除塵ドラム５８は、金属製のパイプに旋盤による切削加工を施すことにより所定の溝幅のスリットが所定の間隔で形成されたものである。各スリットには前記スクレーパ６２の掻取部６３が噛み合わされ、それにより各スリットに挟まった塵芥が掻き出される。
【０００７】
上記した固定型のスクレーパ６２に代えて、図７に示すような、回転型のスクレーパ７０が採用された除塵装置もある（例えば特許文献参照）。
【０００８】
【特許文献】
特開平８−１９９５３８号公報
【０００９】
この回転型のスクレーパ７０は、外周面に除塵ドラム５８のスクリーン５９のスリットに噛み合う複数のリング状の歯７１を備えたものである。除塵ドラム５８とスクレーパ７０とはモータ６０を駆動源とする回転駆動装置６１によって同じ回転方向に回転駆動される。
【００１０】
スクレーパ７０の歯７１に挟まった塵芥は固定型のスクレーパ７２によって掻き取られる。この固定型のスクレーパ７２は回転型のスクレーパ７０の歯７１に噛み合う櫛歯状の掻取部７３を有している。
【００１１】
【発明が解決しようとする課題】
上記した図６および図７に示した除塵ドラム５８は、機械切削により格子状のスクリーン５９が製作されているので、スクリーン５９のスリット幅を小さくできず、微細な塵芥を十分に捕捉できない。また、スクリーン５９の格子は断面が矩形であるので、濾過の効率が悪いという問題もある。
この問題を解消するのに、外周面のスクリーンがウェッジワイヤーを螺旋状に巻き付けることにより製作された除塵ドラムも提案されている。この除塵ドラムでは、スクリーンのスリット幅を小さく設定し得るので、微細な塵芥をも捕捉できる。また、ウェッジワイヤーを矩形以外の形状（例えば三角形状）のものを用いることができるので、濾過の効率が高められる。
【００１２】
しかしながら、この除塵ドラムのスクリーンでは、スリットが螺旋状になっているので、このスリットに櫛歯状の掻取部６３を備えた固定型のスクレーパ６２や複数のリング状の歯７１をもつ回転型のスクレーパ７０を噛み合わせることができない。何故なら、除塵ドラムとスクレーパ６２，７０とを噛み合わせた場合、スクレーパ６２，７０が除塵ドラムの回転によってねじ送りされてしまうからである。その結果、スリットに挟まった塵芥を除去するのが容易でなくなり、スクリーンの目詰を引き起こすという問題がある。
【００１３】
この発明は、上記問題に着目してなされたもので、除塵ドラムとして、外周面のスクリーンがウェッジワイヤーを螺旋状に巻き付けて形成された除塵ドラムを用いても、スクリーンのスリットに挟まった塵芥を容易かつ確実に除去できる除塵装置を提供することを目的とする。
【００１４】
【課題を解決するための手段】
この発明による除塵装置は、塵芥を含む水を導入して除塵した後、除塵後の水を導出するものであって、外周面のスクリーンがウェッジワイヤーを螺旋状に巻き付けて形成されている除塵ドラムと、前記スクリーンのスリットに噛み合う螺旋状の歯を有するスクレーパと、前記除塵ドラムとスクレーパとを回転させる駆動装置とを備えている。前記駆動装置は、除塵ドラムとスクレーパとを同じ回転方向へ同一の回転速度で回転させるようにしている。
【００１５】
この発明の好ましい一実施態様においては、前記スクリーンは、スリットに挟まった塵芥が脱落し易くするために、スリットの幅が外周面から中心方向に向けて拡がるように断面形状が三角形のウェッジワイヤーを用いて形成されたものである。また、このような断面形状のウェッジワイヤーを用いれば、濾過の効率を高めることもできる。
【００１６】
この発明の好ましい実施態様は、前記スクレーパの歯に挟まった塵芥を掻き取るための第２のスクレーパをさらに備えたものであり、これによりスクレーパの目詰まりを防止している。
【００１７】
【作用】
この発明による除塵装置の除塵ドラムは外周面のスクリーンがウェッジワイヤーを螺旋状に巻き付けて形成されているので、スクリーンのスリット幅は十分に小さく設定され、微細な塵芥もスクリーンで捕捉される。スクリーンで捕捉された塵芥は除塵ドラムの回転によりスクレーパの位置へ導かれる。除塵ドラムのスクリーンにスクレーパの歯が噛み合っているので、スクリーンのスリットに挟まった塵芥はスクレーパの歯によって取り除かれる。除塵ドラムとスクレーパとは同じ回転方向へ同一の回転速度で回転するので、スクレーパが除塵ドラムの回転によってねじ送りされることはなく、塵芥の除去に支障は生じない。
【００１８】
【発明の実施の形態】
図１および図２は、この発明の一実施例である除塵装置の構成を示している。
図示例の除塵装置は、全体が箱状のケース体１により外壁が形成されている。このケース体１の正面壁１ａには原水を内部に導入する導入口２と濾過後の水を外部へ導出する導出口３とが設けられている。ケース体１の背面側には原水より取り除いた塵芥を外部へ排出するための排出口４が下向きに設けられている。前記排出口４の下方には、排出口４より排出された塵芥を搬送するためのベルトコンベヤ４５が設置されている。
【００１９】
前記ケース体１の内部には、前記導入口２に連通する流入路６と前記導出口３に連通する流出路７とが隔壁８により区画形成されている。隔壁８は内部の途中まで延び、その奥の空間に除塵ドラム１０が配置されている。隔壁８の両端には、ケース体１の両側壁１ｂ，１ｃと除塵ドラム１０との隙間を塞ぐ側壁８ａ，８ｂが備えられている。前記流入路６と流出路７とはこの除塵ドラム１０を介して連通させている。
除塵ドラム１０が設置された空間の奥には、除塵ドラム１０で捕捉された塵芥を掻き取るための回転型のスクレーパ（以下、「第１のスクレーパ」という。）３０と、第１のスクレーパ３０に付着した塵芥を掻き取るための固定型のスクレーパ（以下、「第２のスクレーパ」という。）４０とが配置されている。さらにその奥には、第１、第２の各スクレーパ３０，４０によって掻き取られた塵芥を放出する放出路９が形成され、その放出路９の下方に前記排出口４が開口している。
【００２０】
前記除塵ドラム１０は、その回転軸１１がケース体１の両側壁１ｂ，１ｃに設けられた軸受１２，１３によって回転自由に支持されている。回転軸１１の一端はケース体１の側壁１ｃより外側へ突出し、その突出端に２個の従動ホイール２２，２６が装着されている。
【００２１】
ケース体１の上面には駆動源としてのモータ２１が取り付け固定されている。モータ２１のモータ軸には駆動ホイール２３が装着されており、この駆動ホイール２３と前記従動ホイール２２との間にチェン２４を巻いて回転駆動装置２０を構成している。この回転駆動装置２０は、除塵ドラム１０と後述するスクレーパ３０とを同じ回転方向へ同一の回転速度（単位時間当たりの回転数）で駆動するためのものである。
【００２２】
前記除塵ドラム１０は、外周面がスクリーン１４になっている。原水に含まれる塵芥はこのスクリーン１４で捕捉され、原水より取り除かれる。
スクリーン１４は、図３に示すように、ウェッジワイヤー１５を螺旋状に巻き付けることにより形成されており、このスクリーン１４の目で塵芥Ａが捕捉される。図中、１６は両端の端板１７，１８間に等角度毎に設けられたロッドであり、円陣に配置された複数本のロッド１６の外側よりウェッジワイヤー１５を所定のピッチｐで巻き付けて、螺旋状のスリット１９を形成している。この実施例では、スリット１９の幅ｄが外周面から中心方向に向けて拡がるように断面形状が三角形のウェッジワイヤー１５を用いてスクリーン１４が形成してある。
なお、スリット１９の幅ｄを塵芥中に含まれる毛髪の太さより細くすると、毛髪がスリット１９より入り込んでロッド１６などに絡み付くのを防止できる。
【００２３】
前記ウェッジワイヤー１５は、図４（１）〜（３）に示すように、断面形状が矩形のもの（図４（１）参照）、断面形状が円形のもの（図４（２）参照）、断面形状がベース型のもの（図４（３）参照）など、種々の断面形状のものを用いることができる。
この実施例のような断面形状が三角形のウェッジワイヤー１５や、図４（２）（３）に示した断面形状のウェッジワイヤー１５を用いると、スリット１９の幅が外周面から中心方向に向けて拡がるので、スリット１９に挟まった塵芥が脱落し易くなる。
【００２４】
前記した第１のスクレーパ３０は、図５に示すように、除塵ドラム１０のスクリーン１４を構成する螺旋状のスリット１９に噛み合う螺旋状の歯３１を有している。歯３１の厚みｔはスクリーン１４のスリット１９の幅ｄより小さく、歯３１のピッチｑはスリット１９のピッチｐと一致している。
【００２５】
第１のスクレーパ３０は、その回転軸３２がケース体１の両側壁１ｂ，１ｃに設けられた軸受３３，３４により回転自由に支持されている。回転軸３２の一端はケース体１の側壁１ｃより外側へ突出し、その突出端に従動ホイール２５が装着されている。この従動ホイール２５と、除塵ドラム１０の回転軸１１に装着されている従動ホイール２６との間にチェン２７が巻かれて前記回転駆動装置２０が構成されている。第１のスクレーパ３０は回転駆動装置２０によって除塵ドラム１０と同じ回転方向へ同一の回転速度で駆動されるものである。
【００２６】
前記した第２のスクレーパ４０は、先端が掻取部４１になっており、この掻取部４１を第１のスクレーパ３０の外周に押し付けるか、接触させるかして、第１のスクレーパ３０の歯３１に挟まっている塵芥を掻き取るものである。この実施例では、前記掻取部４１を、第１のスクレーパ３０の歯３１，３１間の溝３５に容易に入り込みかつ歯３１を容易に乗り越えることができるような可撓性を有するスポンジ状の部材をもって構成し、それにより前記溝３５に挟まった塵芥を掻き出すようにしている。なお、第２のスクレーパ４０は、例えば、掻取部４１を平板状とし、その掻取部４１を第１のスクレーパ３０の歯３１の先端に接触させるようにしてもよい。
【００２７】
上記した構成の除塵装置において、ケース体１の導入口２より流入路６に流入した原水は、除塵ドラム１０のスクリーン１４を、まず外側から内側へ、次いで内側から外側へ、順次通過して濾過された後、濾過後の水が流出路７を経て導出口３より外部へ導出される。
原水が除塵ドラム１０のスクリーン１４を通過する際、原水に含まれる塵芥がスクリーン１４に捕捉される。スクリーン１４はウェッジワイヤー１５を螺旋状に巻き付けて形成されているので、スクリーン１４のスリット１９の幅ｄは十分に小さく、微細な塵芥がスクリーン１４で捕捉される。
【００２８】
このスクリーン１４で捕捉された塵芥は除塵ドラム１０の回転により第１のスクレーパ３０が設置されている位置へ導かれる。除塵ドラム１０のスクリーン１４には第１のスクレーパ３０の歯３１が噛み合っているので、スクリーン１４のスリット１９に挟まった塵芥は第１のスクレーパ３０の歯３１によって取り除かれる。除塵ドラム１０と第１のスクレーパ３０とは同じ回転方向へ同一の回転速度で回転しているので、第１のスクレーパ３０が除塵ドラム１０の回転によってねじ送りされることはなく、塵芥の除去に支障はない。
【００２９】
第１のスクレーパ３０の歯３１に挟まった塵芥は第２のスクレーパ４０により掻き取られる。第１、第２の各スクレーパ３０，４０によって掻き取られた塵芥は放出路９に放出され、この放出路９を通って排出口４からベルトコンベヤ４５上へ排出される。
【００３０】
【発明の効果】
この発明によれば、除塵ドラムのスクリーンをウェッジワイヤーを螺旋状に巻き付けて形成しているので、スクリーンの目を細かくでき、微細な塵芥を確実に捕捉できる。また、断面が三角形状などのウェッジワイヤーを用いることができるので、濾過の効率を高めることもできる。さらに、スクレーパにはスクリーンに噛み合う螺旋状の歯を設けて、除塵ドラムとスクレーパとを同じ回転方向へ同一の回転速度で回転させるので、スクレーパが除塵ドラムの回転によりねじ送りされることがなく、スクリーンに挟まった塵芥を容易かつ確実に除去できる。
【図面の簡単な説明】
【図１】この発明の一実施例である除塵装置の内部構成を示す一部を破断した側面図である。
【図２】図１の除塵装置の一部を破断した背面図である。
【図３】除塵ドラムのスクリーンを拡大して示す断面図である。
【図４】除塵ドラムのスクリーンの他の実施例を示す断面図である。
【図５】除塵ドラムと第１のスクレーパと第２のスクレーパとの噛み合い状態を示す断面図である。
【図６】従来の除塵装置の内部構成を示す一部を破断した側面図である。
【図７】従来の他の除塵装置の内部構成を示す一部を破断した側面図である。
【符号の説明】
１    ケース体
１０  除塵ドラム
１４  スクリーン
１５  ウェッジワイヤー
１９  スリット
２０  駆動装置
３０  第１のスクレーパ
３１  歯
４０  第２のスクレーパ
【図１】
2004314013.tif 000003
【図２】
2004314013.tif 000004
【図３】
2004314013.tif 000005
【図４】
2004314013.tif 000006
【図５】
2004314013.tif 000007
【図６】
2004314013.tif 000008
【図７】
2004314013.tif 000009